(57)【要約】【課題】複数のビーム状の光を近接させて供給することが可能な光源装置、及びその光源装置を用いる画像表示装置を提供すること。【解決手段】ビーム状の光を供給する複数の光源部２０１、２０２、２０３と、光源部２０１、２０２、２０３から入射したビーム状の光を、略平行、かつ光源部２０１、２０２、２０３から入射するときよりビーム状の光同士の間隔が小さくなるように出射することで、ビーム状の光の光路を変換する光路変換部２０５と、を有する。【選択図】      図２
2006162731.tif 000002
【特許請求の範囲】
【請求項１】
ビーム状の光を供給する複数の光源部と、
前記光源部から入射した前記ビーム状の光を、略平行、かつ前記光源部から入射するときより前記ビーム状の光同士の間隔が小さくなるように出射することで、前記ビーム状の光の光路を変換する光路変換部と、を有することを特徴とする光源装置。
【請求項２】
前記複数の光源部は、互いに略平行な前記ビーム状の光を前記光路変換部に供給し、
前記光路変換部は、前記光源部に対応して段をなすように設けられた反射面を有し、
前記反射面は、対応する前記光源部からの前記ビーム状の光を反射することを特徴とする請求項１に記載の光源装置。
【請求項３】
前記光路変換部は、前記ビーム状の光を透過するプリズム素子であって、
前記反射面は、前記プリズム素子の内部を進行した前記ビーム状の光を全反射する前記プリズム素子の界面であることを特徴とする請求項２に記載の光源装置。
【請求項４】
前記光路変換部は、前記ビーム状の光を反射させる複数の前記ミラーにより構成されることを特徴とする請求項２に記載の光源装置。
【請求項５】
前記複数の光源部は、互いに略平行な前記ビーム状の光を前記光路変換部に供給し、
前記光路変換部は、前記複数の光源部からの前記ビーム状の光を収束する収束レンズ、及び前記収束レンズからの光を発散させる発散レンズを有することを特徴とする請求項１に記載の光源装置。
【請求項６】
前記複数の光源部は、互いに略平行な前記ビーム状の光を前記光路変換部に供給し、
前記光路変換部は、前記ビーム状の光を透過するプリズム素子であって、
前記プリズム素子は、前記ビーム状の光同士の間隔を小さくするように前記ビーム状の光を屈折する屈折面を有することを特徴とする請求項１に記載の光源装置。
【請求項７】
前記ビーム状の光を検出する検出部を有し、
前記反射面は、前記光源部から入射した前記ビーム状の光のうちの一部を反射し、前記光源部から入射した前記ビーム状の光のうちの他の一部を透過し、
前記検出部は、前記反射面を透過した前記ビーム状の光を検出し、
前記光源部は、前記検出部の検出結果に応じて、供給する前記ビーム状の光の光量を制御することを特徴とする請求項２に記載の光源装置。
【請求項８】
画像信号に応じたビーム状の光を供給する光源装置と、
前記光源装置からの光を走査する走査部と、を有し、
前記光源装置は、請求項１〜７のいずれか一項に記載の光源装置であることを特徴とする画像表示装置。
【発明の詳細な説明】
【技術分野】
【０００１】
本発明は、光源装置及び画像表示装置、特に、画像信号に応じて変調されたレーザ光を走査することで画像を表示するための光源装置、及びその光源装置を用いる画像表示装置の技術に関する。
【背景技術】
【０００２】
近年、レーザ光を用いて画像を表示する画像表示装置が提案されている。レーザ光を用いる画像表示装置としては、フロント型のプロジェクタやリア型のプロジェクタがある。単色性及び指向性が高いことを特徴とするレーザ光は、明るく色再現性の高い画像を得るために適している。レーザ光を用いてカラー画像を表示する場合、例えば、赤色レーザ光（以下、「Ｒ光」という。）、緑色レーザ光（以下、「Ｇ光」という。）、及び青色レーザ光（以下、「Ｂ光」という。）をそれぞれ走査する。走査光学系は、色ごとにミラーを設ける場合より、各色光を同じミラーで走査するほうが簡易な構成にできる。また、色ごとにミラーを設ける場合はミラーの駆動を同期させる必要があるため、各色光を同じミラーで走査するほうがミラーの制御を容易にできる。複数のレーザ光をそれぞれ走査する技術として、例えば、特許文献１に提案されているものがある。
【０００３】
【特許文献１】特開２００３−２１８００号公報
【発明の開示】
【発明が解決しようとする課題】
【０００４】
レーザ光の照射領域において各色光の走査位置が離れていると、色光同士の間隔が画像の継目として認識されてしまう場合があると考えられる。また、各色光の走査位置が離れていると、画像信号に応じて正確な位置にレーザ光を走査することが難しくなる場合もあり得る。このため、高品質な画像を得るためには、レーザ光の照射領域において、例えば画素のピッチと略同一の間隔にまでレーザ光同士を近接させることが望ましいと考えられる。しかしながら、レーザ光同士を画素のピッチと略同一の間隔で供給することは困難であるという問題を生じる。本発明は、上述の問題に鑑みてなされたものであり、複数のビーム状の光を近接させて供給することが可能な光源装置、及びその光源装置を用いる画像表示装置を提供することを目的とする。
【課題を解決するための手段】
【０００５】
上述した課題を解決し、目的を達成するために、本発明によれば、ビーム状の光を供給する複数の光源部と、光源部から入射したビーム状の光を、略平行、かつ光源部から入射するときよりビーム状の光同士の間隔が小さくなるように出射することで、ビーム状の光の光路を変換する光路変換部と、を有することを特徴とする光源装置を提供することができる。
【０００６】
ビーム状の光を略平行、かつ光源部から入射するときよりビーム状の光同士の間隔を小さくする光路変換部を設けることにより、照射領域におけるビーム状の光の入射位置を近接させることができる。光路変換部を用いることで、光源部の大きさに関わらず、ビーム状の光同士を、例えば画素のピッチと略同一の間隔にまで近接させることが可能である。これにより、複数のビーム状の光を近接させて供給することが可能な光源装置を得られる。
【０００７】
また、本発明の好ましい態様によれば、複数の光源部は、互いに略平行なビーム状の光を光路変換部に供給し、光路変換部は、光源部に対応して段をなすように設けられた反射面を有し、反射面は、対応する光源部からのビーム状の光を反射することが望ましい。光源部に対応して段をなす反射面を用いることにより、略平行な状態で入射したビーム状の光を、略平行、かつ光源部から入射するときよりビーム状の光同士の間隔が小さくなるように出射させる。これにより、複数のビーム状の光を近接させて供給することができる。
【０００８】
また、本発明の好ましい態様によれば、光路変換部は、ビーム状の光を透過するプリズム素子であって、反射面は、プリズム素子の内部を進行したビーム状の光を全反射するプリズム素子の界面であることが望ましい。これにより、複数のビーム状の光を近接させて供給することができる。
【０００９】
また、本発明の好ましい態様としては、光路変換部は、ビーム状の光を反射させる複数のミラーにより構成されることが望ましい。これにより、複数のビーム状の光を近接させて供給することができる。また、光路変換部は、光源部に対応して段をなすように複数のミラーを重ね合わせることで容易に構成することができる。
【００１０】
また、本発明の好ましい態様としては、複数の光源部は、互いに略平行なビーム状の光を光路変換部に供給し、光路変換部は、複数の光源部からのビーム状の光を収束する収束レンズ、及び収束レンズからの光を発散させる発散レンズを有することが望ましい。収束レンズは、光源部からの光を収束する。発散レンズは、収束レンズで収束された光を発散することで、略平行にする。略平行な状態で入射したビーム状の光は、略平行、かつ光源部から入射するときより小さい間隔にできる。これにより、複数のビーム状の光を近接させて供給することができる。
【００１１】
また、本発明の好ましい態様としては、複数の光源部は、互いに略平行なビーム状の光を光路変換部に供給し、光路変換部は、ビーム状の光を透過するプリズム素子であって、プリズム素子は、ビーム状の光同士の間隔を小さくするようにビーム状の光を屈折する屈折面を有することが望ましい。プリズム素子に入射した光は、屈折面において、間隔が小さくなるように屈折する。これにより、複数のビーム状の光を近接させて供給することができる。
【００１２】
また、本発明の好ましい態様としては、ビーム状の光を検出する検出部を有し、反射面は、光源部から入射したビーム状の光のうちの一部を反射し、光源部から入射したビーム状の光のうちの他の一部を透過し、検出部は、反射部を透過したビーム状の光を検出し、光源部は、検出部の検出結果に応じて、供給するビーム状の光の光量を制御することが望ましい。反射面で反射した光は、略平行、かつ光源部から入射するときより小さい間隔で供給される。反射面を透過した光は、照明方向とは異なる方向へ進行し、検出部に入射する。光源装置は、反射面を透過した光を利用することで、光源部をフィードバック制御することができる。これにより、複数のビーム状の光を近接させ、かつ良好な光量バランスで供給することができる。
【００１３】
さらに、本発明によれば、画像信号に応じたビーム状の光を供給する光源装置と、光源装置からの光を走査する走査部と、を有し、光源装置は、上記の光源装置であることを特徴とする画像表示装置を提供することができる。上記の光源装置を用いることにより、複数のビーム状の光を近接させて供給することが可能である。これにより、複数のビーム状の光を近接させて走査することで、高品質な画像を表示可能な画像表示装置を得られる。
【発明を実施するための最良の形態】
【００１４】
以下に図面を参照して、本発明の実施例を詳細に説明する。
【実施例１】
【００１５】
図１は、本発明の実施例１に係る画像表示装置１００の概略構成を示す。画像表示装置１００は、スクリーン１１０の一方の面にビーム状の光であるレーザ光を供給し、スクリーン１１０の他方の面から出射される光を観察することで画像を鑑賞する、いわゆるリアプロジェクタである。光源装置１０１は、画像信号に応じたレーザ光をガルバノミラー１０４の方向へ供給する。ガルバノミラー１０４は、光源装置１０１からのレーザ光を反射ミラー１０５の方向へ反射する。
【００１６】
ガルバノミラー１０４は、光源装置１０１からの光を走査する走査部である。ガルバノミラー１０４は、互いに直交する所定の２軸を中心として回動することによって、レーザ光を二次元方向に走査させる。ガルバノミラー１０４は、例えば、ＭＥＭＳ（Micro Electro Mechanical Systems）技術により作成することができる。反射ミラー１０５は、筐体１０７の内面であって、スクリーン１１０と対向する位置に設けられている。反射ミラー１０５に入射したレーザ光は、スクリーン１１０の方向へ進行する。
【００１７】
筐体１０７は、筐体１０７内部の空間を密閉する。スクリーン１１０は、筐体１０７の所定の一面に設けられている。スクリーン１１０は、画像信号に応じて変調されたレーザ光を透過させる透過型スクリーンである。反射ミラー１０５からの光は、スクリーン１１０の、筐体１０７の内部側の面から入射した後、観察者側の面から出射する。観察者は、スクリーン１１０から出射する光を観察することで、画像を鑑賞する。
【００１８】
図２は、光源装置１０１の構成を示す。光源装置１０１は、３つの光源部２０１、２０２、２０３と、プリズム素子２０５とを有する。光源部２０１は、画像信号に応じて変調されたＲ光Ｌ１を供給する。光源部２０２は、画像信号に応じて変調されたＧ光Ｌ２を供給する。光源部２０３は、画像信号に応じて変調されたＢ光Ｌ３を供給する。光源部２０１、２０２、２０３には、レーザ光を変調するための変調部を設けた半導体レーザや、固体レーザを用いることができる。画像信号に応じた変調は、振幅変調、パルス幅変調のいずれを用いても良い。
【００１９】
光源部２０１、２０２、２０３は、いずれも指向性が高いレーザ光を供給することができる。光源部２０１、２０２、２０３は、Ｒ光Ｌ１、Ｇ光Ｌ２、Ｂ光Ｌ３がいずれも略平行になるように配置されている。また、光源部２０１、２０２、２０３は、Ｒ光Ｌ１及びＧ光Ｌ２の間隔と、Ｇ光Ｌ２及びＢ光Ｌ３の間隔とがそれぞれ略同一の長さｄ１となるように配置されている。なお、光源部２０１、２０２、２０３の出射側には、レーザ光を、例えば、直径０．５ｍｍのビーム形状に整形する整形光学系を設けても良い。また、光源部２０１、２０２、２０３の出射側に、Ｒ光Ｌ１、Ｇ光Ｌ２、Ｂ光Ｌ３をいずれも略平行とする光学素子を設けても良い。
【００２０】
光源部２０１、２０２、２０３は、互いに略平行なビーム状の光をプリズム素子２０５に供給する。プリズム素子２０５は、Ｒ光Ｌ１、Ｇ光Ｌ２、Ｂ光Ｌ３を透過して、Ｒ光Ｌ１、Ｇ光Ｌ２、Ｂ光Ｌ３の光路を変換する光路変換部である。プリズム素子２０５は、硝子部材や透明樹脂部材で構成されている。プリズム素子２０５の入射面は、Ｒ光Ｌ１、Ｇ光Ｌ２、Ｂ光Ｌ３に対して略垂直になるように設けられている。プリズム素子２０５の、入射面とは反対側の界面には、斜面部２１１、２１２、２１３が段をなすように設けられている。プリズム素子２０５は、切削加工や射出成形により形成できる。
【００２１】
斜面部２１１は、Ｒ光Ｌ１が入射する位置に設けられている。斜面部２１２は、Ｇ光Ｌ２が入射する位置に設けられている。斜面部２１３は、Ｂ光Ｌ３が入射する位置に設けられている。斜面部２１１、２１２、２１３は、いずれも略同一の傾きをなすように設けられている。このように、斜面部２１１、２１２、２１３は、光源部２０１、２０２、２０３に対応して段をなすように設けられている。
【００２２】
プリズム素子２０５の内部を斜面部２１１の方向へ進行したＲ光Ｌ１は、斜面部２１１で全反射して、進行方向が変換される。斜面部２１１は、対応する光源部２０１からのＲ光Ｌ１を反射する反射面である。Ｇ光Ｌ２、Ｂ光Ｌ３についてもＲ光Ｌ１と同様に、それぞれ斜面部２１２、２１３で全反射して、進行方向が変換される。斜面部２１２、２１３は、それぞれ対応する光源部２０２、２０３からのＧ光Ｌ２、Ｂ光Ｌ３を反射する反射面である。
【００２３】
斜面部２１１、２１２、２１３はいずれも略同一の傾きをなすことから、斜面部２１１、２１２、２１３で進行方向が変換されたＲ光Ｌ１、Ｇ光Ｌ２、Ｂ光Ｌ３は、略平行である。また、斜面部２１１、２１２、２１３は、Ｒ光Ｌ１、Ｇ光Ｌ２、Ｂ光Ｌ３の間隔が、長さｄ１より短い長さｄ２に変更されるように配置されている。従って、プリズム素子２０５は、光源部２０１、２０２、２０３から入射したＲ光Ｌ１、Ｇ光Ｌ２、Ｂ光Ｌ３を、略平行、かつ光源部２０１、２０２、２０３から入射するときより色光同士の間隔が小さくなるように出射する。
【００２４】
図３は、スクリーン１１０におけるＲ光Ｌ１、Ｇ光Ｌ２、Ｂ光Ｌ３の走査を説明するものである。光源装置１０１からのＲ光Ｌ１、Ｇ光Ｌ２、Ｂ光Ｌ３は、それぞれ略平行な状態でスクリーン１１０に入射する。Ｒ光Ｌ１、Ｇ光Ｌ２、Ｂ光Ｌ３は、スクリーン１１０において、垂直方向に並列して入射する。Ｒ光Ｌ１の入射位置及びＧ光Ｌ２の入射位置の間隔、Ｇ光の入射位置及びＢ光Ｌ３の入射位置の間隔は、スクリーン１１０上において、例えば画素のピッチと略同一である。Ｒ光Ｌ１、Ｇ光Ｌ２、Ｂ光Ｌ３は、スクリーン１１０において垂直方向に並列する以外に、斜めに並列することとしても良い。
【００２５】
Ｒ光Ｌ１、Ｇ光Ｌ２、Ｂ光Ｌ３は、まずスクリーン１１０の最上部を水平方向へ走査する。スクリーン１１０の最上部の走査を終えると、Ｒ光Ｌ１、Ｇ光Ｌ２、Ｂ光Ｌ３は、走査位置を一段下へ移動する。そして、Ｒ光Ｌ１、Ｇ光Ｌ２、Ｂ光Ｌ３は、水平方向へ、それまでとは逆方向へ走査する。かかる操作を繰り返して、各色光は、スクリーン１１０の全体を走査する。各色光は、垂直方向へ１回走査する間に、水平方向へ複数回走査する。なお、各色光は、スクリーン１１０において水平方向に並列させることとしても良い。水平方向に各色光を並列する場合、各色光は、水平方向へ１回走査する間に垂直方向へ複数回走査する。
【００２６】
各色光を略平行、かつ光源部２０１、２０２、２０３から入射するときより各色光の間隔を小さくするプリズム素子２０５によって、照射領域であるスクリーン１１０における各色光の入射位置を近接させることができる。特に、光源部２０１、２０２、２０３が大型である場合であっても、各色光を近接させることが可能となる。これにより、複数のビーム状の光を近接させて供給することができるという効果を奏する。また、各色光を近接させることで、継目が認識されにくい画像を表示できる上、画像信号に応じて正確な位置に各色光を走査することができる。これにより、高品質な画像を表示することができる。
【００２７】
図４は、実施例１の変形例に係る光源装置４０１の構成を示す。光源装置４０１は、３つのミラー４１１、４１２、４１３で構成される光路変換部４０５を有することを特徴とする。光路変換部４０５は、ミラー４１３、ミラー４１２、ミラー４１１の順に重ね合わせて構成されている。ミラー４１１、４１２、４１３は、高反射性の金属部材で構成できる。また、ミラー４１１、４１２、４１３は、板状の部材に金属膜や誘電体多層膜をコーティングして構成しても良い。
【００２８】
ミラー４１３は、他のミラー４１２、４１１より大きい面積を有する。ミラー４１３のうち、ミラー４１２が重ねられていない部分には、光源部２０３からのＢ光Ｌ３が入射する。ミラー４１２は、ミラー４１１より大きい面積を有する。ミラー４１２のうち、ミラー４１１が重ねられていない部分には、光源部２０２からのＧ光Ｌ２が入射する。ミラー４１１には、光源部２０１からのＲ光Ｌ１が入射する。ミラー４１１、４１２、４１３は、いずれも略同一の傾きをなすように設けられている。ミラー４１１、４１２、４１３は、光源部２０１、２０２、２０３に対応して段をなすように設けられている。
【００２９】
ミラー４１１に入射したＲ光Ｌ１は、ミラー４１１で反射して、進行方向が変換される。ミラー４１１は、対応する光源部２０１からのＲ光Ｌ１を反射する反射面である。Ｇ光Ｌ２、Ｂ光Ｌ３についてもＲ光Ｌ１と同様に、それぞれミラー４１２、４１３で反射して、進行方向が変換される。ミラー４１２、４１３は、それぞれ対応する光源部２０２、２０３からのＧ光Ｌ２、Ｂ光Ｌ３を反射する反射面である。
【００３０】
ミラー４１１、４１２、４１３はいずれも略同一の傾きをなすことから、ミラー４１１、４１２、４１３で進行方向が変換されたＲ光Ｌ１、Ｇ光Ｌ２、Ｂ光Ｌ３は、略平行である。また、ミラー４１１、４１２、４１３は、Ｒ光Ｌ１、Ｇ光Ｌ２、Ｂ光Ｌ３の間隔が、長さｄ１より短い長さｄ２に変更されるように配置されている。従って、光路変換部４０５は、光源部２０１、２０２、２０３から入射したＲ光Ｌ１、Ｇ光Ｌ２、Ｂ光Ｌ３を、略平行、かつ光源部２０１、２０２、２０３から入射するときより色光同士の間隔が小さくなるように出射する。
【００３１】
これにより、複数のビーム状の光を近接させて供給することができる。また、光路変換部４０５は、光源部２０１、２０２、２０３に対応して段をなすようにミラー４１１、４１２、４１３を重ね合わせることで容易に構成することができる。なお、光路変換部４０５は、３つのミラー４１１、４１２、４１３を、段をなすように重ね合わせる構成に限らず、１つのミラーに段を設けても良い。また、上記のプリズム素子２０５も、斜面部２１１、２１２、２１３に反射性部材を設け、反射により各色光の光路を変換することとしても良い。
【実施例２】
【００３２】
図５は、本発明の実施例２に係る光源装置５０１の構成を示す。上記実施例１の光源装置１０１と同一の部分には同一の符号を付し、重複する説明は省略する。光源装置５０１は、収束レンズ５１１と発散レンズ５１２とを有することを特徴とする。収束レンズ５１１及び発散レンズ５１２は、各色光の光路を変換する光路変換部である。収束レンズ５１１には、互いに略平行な各色光が入射する。収束レンズ５１１は、光源部２０１、２０２、２０３からの各色光を収束する凸レンズである。
【００３３】
収束レンズ５１１からの光は、発散レンズ５１２に入射する。発散レンズ５１２は、収束レンズ５１１からの光を発散する凹レンズであって、各色光を略平行にする。このようにして、光源部２０１、２０２、２０３からの各色光を、略平行、かつ光源部２０１、２０２、２０３から入射するときより色光同士の間隔が小さくなるように出射する。これにより、各色光を近接させて供給することができる。
【００３４】
なお、収束レンズ５１１及び発散レンズ５１２は、球面形状又は非球面形状の曲面を入射側と出射側とに設ける構成に限らず、入射側及び出射側のいずれか一方を曲面としても良い。また、収束レンズ５１１及び発散レンズ５１２は、球面形状又は非球面形状の曲面を設ける構成に限らず、所定の一方向に曲率を有する、いわゆるシリンドリカルレンズとしても良い。光源装置５０１は、収束レンズ５１１及び発散レンズ５１２に加えて、光路変換部として他のレンズを設けることとしても良い。
【実施例３】
【００３５】
図６は、本発明の実施例３に係る光源装置６０１の構成を示す。上記実施例１の光源装置１０１と同一の部分には同一の符号を付し、重複する説明は省略する。光源装置６０１は、各色光を透過するプリズム素子６０５を有することを特徴とする。プリズム素子６０５は、各色光の光路を変換する光路変換部である。プリズム素子６０５は、上記実施例１のプリズム素子２０５と同様に、硝子部材や透明樹脂部材で構成できる。また、プリズム素子６０５は、切削加工や射出成形により形成できる。
【００３６】
プリズム素子６０５は、三角柱形状を有する。プリズム素子６０５には、互いに略平行な各色光が入射する。プリズム素子６０５へ入射した各色光は、出射面６１１で屈折作用を受ける。出射面６１１は、各色光の間隔を小さくするように各色光を屈折する屈折面である。各色光は、出射面６１１で同様に屈折作用を受けることから、略平行のままである。このようにして、プリズム素子６０５は、光源部２０１、２０２、２０３からの各色光を、略平行、かつ光源部２０１、２０２、２０３から入射するときより色光同士の間隔が小さくなるように出射する。これにより、各色光を近接させて供給することができる。なお、プリズム素子６０５は、出射面６１１を屈折面とする構成のみならず、入射面を屈折面としても良く、入射面及び出射面６１１を屈折面としても良い。さらに、プリズム素子６０５は、上記実施例１のプリズム素子２０５と同様に、屈折面に段を設けることとしても良い。
【実施例４】
【００３７】
図７は、本発明の実施例４に係る光源装置７０１の構成を示す。上記実施例１の光源装置１０１と同一の部分には同一の符号を付し、重複する説明は省略する。光源装置７０１は、光源部２０１、２０２、２０３からの各色光のうち一部を照射領域の方向へ反射し、各色光のうちの他の一部を透過して検出部７２１、７２２、７２３に入射させることを特徴とする。
【００３８】
プリズム素子７０５は、各色光の光路を変換する光路変換部である。プリズム素子７０５は、上記実施例１のプリズム素子２０５と同様に、硝子部材や透明樹脂部材で構成できる。プリズム素子７０５は、各色光の入射面に、斜面部７１１、７１２、７１３が段をなすように設けられている。また、プリズム素子７０５は、切削加工や射出成形により形成できる。
【００３９】
斜面部７１１、７１２、７１３は、いずれも略同一の傾きをなすように設けられている。斜面部７１１、７１２、７１３は、光源部２０１、２０２、２０３に対応して段をなすように設けられている。斜面部７１１、７１２、７１３は、上記の光源装置１０１の斜面部２１１、２１２、２１３と同様に、対応する光源部２０１、２０２、２０３からの光を反射する反射面である。また、斜面部７１１、７１２、７１３には、入射した光のうちの一部を反射し、入射した光のうちの他の一部を透過する半反射膜が設けられている。斜面部７１１、７１２、７１３に設けられた半反射膜は、例えば入射光のうち約８５％の光を反射し、入射光のうち約１０％を透過する。
【００４０】
斜面部７１１に入射したＲ光Ｌ１のうち一部の光Ｌ１１は、斜面部７１１で反射する。斜面部７１１に入射したＲ光Ｌ１のうち他の一部の光Ｌ２１は、斜面部７１１を透過する。斜面部７１２に入射したＧ光Ｌ２のうち一部の光Ｌ１２は、斜面部７１２で反射する。斜面部７１２に入射したＧ光Ｌ２のうち他の一部の光Ｌ２２は、斜面部７１２を透過する。斜面部７１３に入射したＢ光Ｌ３のうち一部の光Ｌ１３は、斜面部７１３で反射する。斜面部７１３に入射したＢ光Ｌ３のうち他の一部の光Ｌ２３は、斜面部７１３を透過する。斜面部７１１、７１２、７１３で反射した光Ｌ１１、Ｌ１２、Ｌ１３は、上記実施例１と同様に、略平行、かつ光源部２０１、２０２、２０３から入射するときより色光同士の間隔が小さくなるように進行する。
【００４１】
斜面部７１１、７１２、７１３を透過した光Ｌ２１、Ｌ２２、Ｌ２３は、プリズム素子７０５を透過し、それぞれ検出部７２１、７２２、７２３に入射する。検出部７２１、７２２、７２３は、斜面部７１１、７１２、７１３を透過した各色光を検出する。検出部７２１、７２２、７２３は、例えばフォトダイオードを用いることができる。そして、検出部７２１は、検出部７２１で検出されたＲ光Ｌ２１の光量を検出結果として出力する。光源部２０１は、検出部７２１からの検出結果に応じて、供給するＲ光Ｌ１の光量を制御する。
【００４２】
検出部７２２、７２３も、検出部７２１と同様に、検出されたＧ光Ｌ２２の光量、Ｂ光Ｌ２３の光量を検出結果としてそれぞれ出力する。光源部２０２は、検出部７２２からの検出結果に応じて、供給するＧ光Ｌ２の光量を制御する。光源部２０３は、検出部７２３からの検出結果に応じて、供給するＢ光Ｌ３の光量を制御する。光源装置７０１は、斜面部７１１、７１２、７１３を透過した光を利用することで、光源部２０１、２０２、２０３をフィードバック制御することができる。これにより、複数のビーム状の光を近接させ、かつ良好な光量バランスで供給することができる。なお、プリズム素子７０５は、上記実施例１のプリズム素子２０５と同様に、入射面とは反対側の面に斜面部を設ける構成としても良い。
【実施例５】
【００４３】
図８は、本発明の実施例５に係る画像表示装置８００の概略構成を示す。上記実施例１と同一の部分には同一の符号を付し、重複する説明は省略する。画像表示装置８００は、観察者側に設けられたスクリーン８０５にレーザ光を供給し、スクリーン８０５で反射する光を観察することで画像を鑑賞する、いわゆるフロント投写型のプロジェクタである。画像表示装置８００は、上記実施例１と同様に、光源装置１０１を有する。
【００４４】
画像表示装置８００の観察者側の面には、硝子や透明樹脂等の透明部材からなる出射窓８１０が設けられている。ガルバノミラー１０４からのレーザ光は、出射窓８１０を透過した後、スクリーン８０５に入射する。上記実施例１と同様に光源装置１０１を用いることから、本実施例の画像表示装置８００も、スクリーン８０５において各色光を近接させて走査することができる。これにより、高品質な画像を表示することができる。
【００４５】
なお、上記各実施例において、光源装置はレーザ光を供給する光源部２０１、２０２、２０３を用いる構成としているが、ビーム状の光を供給可能な構成であれば、これに限られない。例えば、光源装置の光源部として、ＬＥＤ等の固体発光素子を用いる構成としても良い。
【産業上の利用可能性】
【００４６】
以上のように、本発明に係る光源装置は、画像を表示する画像表示装置に適用する場合に有用であり、特に、ビーム状の光を走査して高品質な画像を表示する場合に適している。
【図面の簡単な説明】
【００４７】
【図１】本発明の実施例１に係る画像表示装置の概略構成図。
【図２】光源装置の構成図。
【図３】スクリーンにおけるＲ光、Ｇ光、Ｂ光の走査を説明する図。
【図４】実施例１の変形例に係る光源装置の構成図。
【図５】本発明の実施例２に係る光源装置の構成図。
【図６】本発明の実施例３に係る光源装置の構成図。
【図７】本発明の実施例４に係る光源装置の構成図。
【図８】本発明の実施例５に係る画像表示装置の概略構成図。
【符号の説明】
【００４８】
１００  画像表示装置、１０１  光源装置、１０４  ガルバノミラー、１０５  反射ミラー、１０７  筐体、１１０  スクリーン、２０１、２０２、２０３  光源部、２０５  プリズム素子、２１１、２１２、２１３  斜面部、４０１  光源装置、４０５  光路変換部、４１１、４１２、４１３  ミラー、５０１  光源装置、５１１  収束レンズ、５１２  発散レンズ、６０１  光源装置、６０５  プリズム素子、６１１  出射面、７０１  光源装置、７０５  プリズム素子、７１１、７１２、７１３  斜面部、７２１、７２２、７２３  検出部、８００  画像表示装置、８０５  スクリーン、８１０  出射窓
【図１】
2006162731.tif 000003
【図２】
2006162731.tif 000004
【図３】
2006162731.tif 000005
【図４】
2006162731.tif 000006
【図５】
2006162731.tif 000007
【図６】
2006162731.tif 000008
【図７】
2006162731.tif 000009
【図８】
2006162731.tif 000010